(57)【要約】    【解決手段】  ハウジングと；このハウジングに接続された電気接点と；電気コネクタを結合する電気コネクタに結合することを支援するための結合支援装置と、を有する電気コネクタである。この結合支援装置は、前記ハウジングに軸支可能に接続されたレバーと、前記ハウジングに摺動可能に接続されたスライダと、前記レバーのロックされていない位置からの不用意な移動を防止する装置とを有する。このレバーの不用意な移動を防止する装置は、使用者によって手動で動作されるように適合された第１ラッチと、前記ハウジングが前記結合する電気コネクタにはじめに設置されるときに前記結合する電気コネクタによって自動的に移動されるように適合された前記スライダにおける第２ラッチとを有する。この第１および第２の両ラッチは、移動して、ロックされていない位置からの前記レバーの移動を可能にする。【選択図】図３０
2009512141.tif 000002
【特許請求の範囲】
【請求項１】
ハウジングと；このハウジングに接続された電気接点と；結合する電気コネクタに電気コネクタを結合するのを支援するための結合支援装置であって、  この結合支援装置は、前記ハウジングに軸支可能に接続されたレバーと、前記ハウジングに摺動可能に接続されたスライダと、ロックされていない位置から前記レバーの意図していない移動を防止するための装置とを有し、前記レバーの意図していない移動を防止するための装置は、使用者による手動で動作されるように適合された第１ラッチと、前記ハウジングが当初は前記結合する電気コネクタに設置されるときに、前記結合する電気コネクタによって自動的に移動されるように適合された前記スライダにおける第２ラッチと、を有し、前記第１と第２の両ラッチは、前記ロックされていない位置からの前記レバーの移動を可能にするために移動するもの、とを有する電気コネクタ。
【請求項２】
前記結合支援装置は、前記レバーとこのレバーに移動可能に設置された前記第１ラッチとを有する組合されたレバーおよびラッチ半組立体を有する請求項１記載の電気コネクタ。
【請求項３】
前記第１ラッチは、スプリング区域と、ブロッカ区域と、ラッチ区域とを有する組合されたラッチおよびロック部材を有する請求項２記載の電気コネクタ。
【請求項４】
前記組合されたラッチおよびロック部材は、さらに、前記ブロッカ区域を前記ラッチ区域に接続する可撓性アームを有する請求項３記載の電気コネクタ。
【請求項５】
前記スプリング区域は、閉じたスプリングループを有する請求項３記載の電気コネクタ。
【請求項６】
前記ハウジングは、前記ブロッカ区域が突部の通路から移動されるまで、前記レバーが移動するのを防止するブロッカ区域と係合するように適合された外部側における突部を有するワイヤドレスカバーを有する請求項３記載の電気コネクタ。
【請求項７】
前記ハウジングは、前記ラッチ区域と係合するように適合されたラッチ表面を備えるワイヤドレスカバーを有する請求項３記載の電気コネクタ。
【請求項８】
前記レバーは、２つの軸支ピンを備えるアームを有し、前記スライダは、前記ピボット穴に軸支可能に位置する軸支ピンの第１を有する軸支穴を有し、さらに、前記スライダは、前記スロット内の第２軸支ピンの軸支可能でかつ摺動可能な移動用のスロット内に位置された軸支ピンの第２を有する細長の軸支ピンスロットを有する電気コネクタ。
【請求項９】
前記ハウジングは、主区域と；この主区域の底部側におけるその主区域に移動可能に接続された端子位置保証（ＴＰＡ）部材であって、前記電気接点は第１方向における主区域内に挿入されるように適合され、さらに、前記ＴＰＡ部材は、開放位置から前記主区域におけるロックされた位置への第１方向と直交する第２方向に移動されるように適合されるもの、とを有する請求項１記載の電気コネクタ。
【請求項１０】
前記ハウジングは、前記第１電気接点が前記ハウジング内に挿入される間に前記電気接点の第１のケージに沿って摺動するように構成され、前記ハウジングに対して前記第１電気接点をラッチするように前記ケージの後方縁の後ろにラッチする弾性カンチレバー式のロックフィンガを有し、また、前記ロックフィンガが前記ケージの後方縁の後ろにラッチする前にラッチング穴において前記ケージを備えたロックフィンガの早すぎるラッチを防止するために前記ケージの側方におけるラッチング穴を越えて摺動するように寸法どりされ、または形作られる、請求項１記載の電気コネクタ。
【請求項１１】
前記ハウジングは、複数の電気接点受入れ領域を有する主ハウジング部材と；
この主ハウジング部材に移動可能に設置された端子位置保証（ＴＰＡ）部材であって、各接点受入れ領域については、前記ＴＰＡ部材は雄のピン挿入口と、試験プローブ挿入口と、端子サービス穴とを有し、さらに各接点受入れ領域については、それぞれの雄のピン挿入口および試験プローブ挿入口は、前記ＴＰＡ部材における第１方向に整列され、かつ、それぞれの端子サービス穴が、少なくとも部分的に、第２方向において雄のピン挿入口および試験プローブ挿入口からオフセットされるものと、を有する請求項１記載の電気コネクタ。
【請求項１２】
さらに、結合する電気コネクタ当初接続保持器装置を有し：この保持器装置は、カムピンを受入れるための挿入スロットを備えた前記主ハウジング部材を有し、また、前記カムスロットおよび挿入スロットは、限定されたカムピン通路を形成するために、当初は部分的にオフセットされ、さらに、前記結合支援装置の作動の前に、前記電気コネクタハウジング組立体が、前記結合する電気コネクタに当初設置されるときに、前記保持器装置は、前記結合支援装置が使用者によって作動されるまで、挿入スロットおよびカムスロットの部分間に前記結合する電気コネクタのカムピンを摩擦によって捕捉し、前記結合する電気コネクタにおける電気コネクタハウジング組立体を当初に保持するように適合される、請求項１におけるような電気コネクタ。
【請求項１３】
前記第１ラッチは、前記ハウジングに軸支可能に接続される軸支レバー部材に入れ子式に接続された入れ子部材を備えた前記レバーを有する請求項１におけるような電気コネクタ。
【請求項１４】
前記ハウジングは、外部の側面における突部を備えたワイヤドレスカバーを有し、また、前記入れ子部材が拡張位置に移動されるまで、前記レバーが前記ハウジングにおいて軸支することを防止される、請求項１３記載におけるような電気コネクタ。
【請求項１５】
ハウジングと；このハウジングに接続された電気接点と；前記ハウジングに軸支可能に設置されたレバーと、前記レバーに移動可能に設置された組合されたラッチおよびコネクタ位置保証（ＣＰＡ）ロックとを有するレバーおよびラッチの半組立体であって、前記組合されたラッチおよびＣＰＡロックはラッチ部分およびブロッキング部分を有し、また、前記ブロッキング部分は、ロックされていない位置からのハウジングにおけるレバーの移動をブロックするために前記ハウジングの部分と係合するように適合され、さらに、前記ラッチ部分はロック位置におけるハウジングに前記レバーをラッチするように適合されるもの、とを有する電気コネクタ。
【請求項１６】
電気接点と；主区域およびこの主区域に接続されるワイヤドレスカバーを有するハウジングであって、この電気接点は前記主区域に接続され、さらに、前記ワイヤドレスカバーは前記電気接点に接続された前記ワイヤのためのカバーを提供するために適合されるものと；結合する電気コネクタに前記電気コネクタの結合を支援するための装置であって、その結合を支援するための装置はレバーを有するものと；所定の位置において前記レバーをラッチするための装置であって、前記レバーをラッチするための装置は前記レバーにおける移動可能なラッチおよび前記ワイヤドレスカバーにおけるラッチ係合部分を有するもの、とを有する電気コネクタ。
【請求項１７】
主区域と；この主区域の底部側におけるこの主区域に移動可能に接続された端末位置保証（ＴＰＡ）部材であって、電気接点は第１方向において前記主区域内に挿入されるために適合応され、さらに、前記ＴＰＡ部材は主区域における開放位置からロックされた位置への前記第１方向と直角な第２方向に移動されるように適合するもの、とを有する電気コネクタハウジング組立体。
【請求項１８】
電気接点と；それに接続された電気接点を有するハウジングと；結合する電気コネクタに対する電気コネクタの結合を支援するための装置であって、この結合するのを支援するための装置は、前記ハウジングに軸支可能に接続されたレバーと、前記ハウジングに摺動可能に接続されたスライダとを有し、このレバーは２つの軸支ピンを備えたアームを有し、また、前記スライダは、前記軸支穴に軸支可能に位置する軸支ピンの第１のものを有する軸支穴を有し、さらに、前記スロットにおける第２軸支ピンの軸支可能で、かつ摺動可能な移動のための前記スロット内に位置される軸支ピンの第２の１つを備えた細長の軸支ピンを有するものと、を有する電気コネクタ。
【請求項１９】
ワイヤに取付けられるように適合された第１接続区域と、結合する電気コネクタの雄接点を受入れるように適合された通常のケージを有する第２接続区域とを有する電気接点と；それに接続された電気接点を有するハウジングであって、このハウジングは、前記電気接点がハウジング内に挿入されている間に前記ケージに沿って摺動するように構成される弾性力のあるカンチレバー式ロックフィンガを有し、さらに、このロックフィンガが、前記ケージの後方端の後ろにラッチする前に、前記ロックフィンガは、ラッチング穴においてケージとのロックフィンガの早すぎるラッチングを防止するために、前記ケージの側方におけるラッチング穴を越えて摺動するように、寸法どりされ、かつ形作られるもの、とを有する電気コネクタ。
【請求項２０】
複数の電気接点受入れ領域を有する主ハウジング部材と；この主ハウジング部材に移動可能に設置された端末位置保証（ＴＰＡ）部材であって、各接点受入れ領域については、前記ＴＰＡ部材は雄ピン挿入口と、試験プローブ挿入口と、端子サービス穴とを有し、また各接点受入れ領域については、それぞれの雄ピン挿入口および試験プローブ挿入口は、ＴＰＡ部材における第１方向に整列され、それぞれの端子のサービス穴は少なくとも第２方向内に雄のピン挿入口および試験プローブ挿入口から部分的にオフセットされるもの、とを有する電気コネクタハウジング組立体。
【請求項２１】
複数の電気接点受入れ領域を有する主ハウジング部材と；結合する電気コネクタに主ハウジング部材を接続するのを支援するための結合支援装置であって、この結合支援装置は、保持器装置主ハウジング部材に移動可能に設置されたスライダを有し、このスライダは、この結合する電気コネクタのカムピンを受入れるためのカムスロットを有するものと；結合する電気コネクタの当初の接続保持器装置であって、この保持器装置は、前記カムピンを受入れるための挿入スロットを備えた主ハウジング部材を有するものであり、前記カムスロットおよび挿入スロットは限定されたカムピン通路を形成するために、当初は部分的にオフセットされ、そして、電気コネクタハウジング組立体が前記結合する電気コネクタに当初は設置されるときに、結合支援装置の作動前に、前記結合支援装置が使用者によって作動するまで、当初はその結合する電気コネクタにおいて前記電気コネクタハウジング組立体を保持するために保持器装置は摩擦によって挿入スロットおよびカムスロットの部分間の結合する電気コネクタのカムピンを摩擦によって捕捉するように適合されるものと、を有する電気コネクタ。
【発明の詳細な説明】
【技術分野】
【０００１】
この発明は、電気コネクタに係り、特には、レバーを有する電気コネクタに関する。
【背景技術】
【０００２】
米国特許６７０５８８２号は、結合支援装置を有する電気コネクタを開示している。レバーは、結合する電気コネクタに電気コネクタを接続することを支援するために使用される。カムスライダを有する結合支援装置を備えた電気コネクタも知られている。コネクタ位置保証（ＣＰＡ）部材および端子位置保証（ＴＰＡ）部材を有する電気コネクタも知られている。従来の電気コネクタを超える様々な改良を電気コネクタに提供すべき要請がある。
【発明の開示】
【０００３】
この発明の１つの態様によれば、電気コネクタは、ハウジングと；このハウジングに接続された電気接点と；前記電気コネクタを前記結合する電気コネクタに結合することを支援するための結合支援装置と、を有して提供される。この結合支援装置は、ハウジングに軸支可能に接続されたレバーと、ハウジングに摺動可能に接続されたスライダと、ロックされていない位置からのレバーの意図していない移動を防止するための装置と、を有する。レバーの意図していない移動を防止するための装置は、使用者によって手動で作動されるように適合された第１ラッチと、ハウジングが前記結合する電気コネクタに当初設置されるときに、その結合する電気コネクタによって自動的に移動されるように適合されたスライダにおける第２ラッチとを有している。第１および第２の両ラッチは、移動されて、ロックされていない位置からのレバーの移動を可能にする。
【０００４】
この発明の他の態様によれば、電気コネクタは、ハウジングと；このハウジングに接続された電気接点と；レバーおよびラッチの半組立体と、を有して提供される。このレバーおよびラッチ半組立体は、ハウジングに軸支可能に設置されたレバーと、このレバーに移動可能に設置され組合されたラッチおよびコネクタ位置保証（ＣＰＡ）ロックとを有する。この組合されたラッチおよびＣＰＡロックは、ラッチ部分とブロッキング部分とを有する。このブロッキング部分は、ハウジングの一部分と係合して、ロックされていない位置からのハウジングにおけるレバーの移動をブロックするように適合される。このラッチ部分は、ロックされた位置でハウジングにおいてレバーをラッチするように適合される。
【０００５】
この発明の他の態様によれば、電気コネクタは、電気接点と；ハウジングと；
結合する電気コネクタに対する前記電気コネクタの結合を支援するための装置と；所定の位置でレバーをラッチするための装置と、を有して提供される。ハウジングは、主区域と、この主区域に接続されたワイヤドレスカバーとを有する。この電気接点は、主区域に接続される。ワイヤドレスカバーは、電気接点に接続されたワイヤ用のカバーを提供するように適合される。結合することを支援するための装置は、レバーを有する。このレバーをラッチするための装置は、レバーにおける移動可能なラッチと、ワイヤドレスカバーにおけるラッチ係合部分とを有する。
【０００６】
この発明の他の態様によれば、電気コネクタハウジング組立体は、主区域と；この主区域の底部側において主区域に移動可能に接続された端子位置保証（ＴＰＡ）部材と、を有して提供される。電気接点は、第１方向における主区域内に挿入されるように適合される。ＴＰＡ部材は、主区域におけるロックされた位置に、開放位置からの第１方向に直角な第２方向に移動されるように適合される。
【０００７】
この発明の他の態様によれば、電気コネクタは、電気接点と；それに接続された電気接点を有するハウジングと；結合する電気コネクタに対する前記電気コネクタの結合を支援するための装置とを有して提供される。この結合することを支援するための装置は、ハウジングに軸支可能に接続されたレバーと、ハウジングに摺動可能に接続されたスライダとを有する。このレバーは、２つの軸支ピンを備えたアームを有する。スライダは、軸支穴に軸支可能に位置される軸支ピンの第１のものを有する軸支穴を有する。スライダは、スロット内の第２の軸支ピンの軸支可能な、かつ摺動可能な移動用のスロット内に位置される軸支ピンの第２のものを有する細長の軸支ピンスロットを有する。
【０００８】
この発明の他の態様によれば、電気コネクタは、ワイヤに取付けられるように適合された第１接続区域と、結合する電気コネクタの雄接点を受けるように適合された通常のケージを有する第２接続区域と、それに接続された電気接点を備えるハウジングとを有して提供される。ハウジングは、電気接点がハウジングに対して電気接点をラッチするために、ケージの後端の後ろにラッチし、ハウジング内に挿入されている間に、ケージに沿って摺動するように構成される弾力のあるカンチレバー式ロックフィンガを有する。このロックフィンガは、  このロックフィンガがケージの後方縁の後ろにラッチする前に、ラッチング穴におけるケージを備えたロックフィンガの早すぎるラッチングを防止するために、ケージの一側におけるラッチング穴を越えて摺動するように寸法どりされ、形作られる。
【０００９】
この発明の他の態様によれば、電気コネクタハウジング組立体は、複数の電気接点受入れ領域を有する主ハウジング部材と；この主ハウジング部材に移動可能に設置される端子位置保証（ＴＰＡ）部材とを有して提供される。各接点受入領域のためには、ＴＰＡ部材は、雄のピン挿入穴と、試験プローブ挿入穴と、端子点検（servise）穴とを有する。各接点受入領域のためには、それぞれの雄のピン挿入穴および試験プローブ挿入穴は、ＴＰＡ部材における第１方向に整列され、さらに、それぞれの端子点検穴は、第１方向における雄のピン挿入穴および試験プローブ挿入穴から、少なくとも部分的にオフセットされる。
【００１０】
この発明の他の態様によれば、電気コネクタハウジング組立体は、複数の電気接点受入領域を有する主ハウジング部材と；結合する電気コネクタにその主ハウジング部材を接続することを支援するための結合支援装置と；結合する電気コネクタの当初の接続保持器装置とを有して提供される。この結合支援装置は、主ハウジング部材に移動可能に設置されるスライダを有する。このスライダは、結合する電気コネクタのカムピンを受入れるためのカムスロットを有する。保持器装置は、このカムピンを受入れるための挿入スロットを有する主ハウジング部材を有する。カムスロットおよび挿入スロットは、当初は部分的にオフセットされて、限定されたカムピン通路を形成する。結合支援装置の作動の前に、電気コネクタハウジング組立体が前記結合する電気コネクタに当初設置されるときに、保持器装置は、その結合支援装置が使用者によって作動されるまで、前記結合する電気コネクタにおける電気コネクタハウジング組立体を当初保持するために、挿入スロットとカムスロットとの部分間の前記結合する電気コネクタのカムピンを摩擦によって当初捕捉（trap）するように適合される。
【００１１】
これらの先行する態様およびこの発明の他の特徴は、添付する図面に関して得られる次の記述において説明される。
【発明を実施するための最良の実施態様】
【００１２】
図１−３を参照して、この発明の特徴を具体化する電気コネクタ１０の斜視図が示されている。この発明は、図面に示される代表的な実施例に関して記述されるが、この発明が、実施例の多くの代りの形態で具体化することができることが理解されるに違いない。さらに、部品または材料のあらゆる適切な寸法、形状、またはタイプも使用することができる。
【００１３】
電気コネクタ１０は、通常、ハウジング２２および電気接点２４を有する。この電気接点２４は、後端部２６における孔から延びるワイヤのような電気導体（図示せず）に接続される。さらに図２４を参照して、電気接点２４は、従来の電気接点である。しかしながら、代りの実施例においては、あらゆる適切なタイプの電気接点を使用することができる。この電気接点２４は、ワイヤに取付けられるように適合された第１接続区域１２０と、前記結合する電気コネクタ１２の雄ピン接点を移動可能に受入れるように適合された第２接続区域１２２とを有する（図１５−１８参照）。ケージ１２４の一側は、ラッチング穴１２６を有する。このラッチング穴１２６は、ハウジングのスナップロックラッチを受けるための設計がされた。しかしながら、ラッチング穴１２６は、この実施例においては使用されない。代りに、ケージ１２４の後部縁１２８は、電気接点をハウジングに対してロックするために使用される。接点２４が、そのそれぞれのワイヤに接続された後、接点２４は、ハウジングの底部側に向ってとがっているケージ１２４を備えたハウジング部材２８の接点受入れ領域内に挿入され、さらに、前記第１接続区域は、ハウジングの頂部側に向って延びている。
【００１４】
さらに図４を参照して、ハウジング２２は、通常、第１区域または主区域２８と、ワイヤドレスカバー３０とを有する。コネクタ１０は、さらにカムロッド、またはスライダ３２と、レバー３４と、組合せたラッチおよびコネクタ位置保証（ＣＰＡ）ロック３６と、マットシール保持器６０と、端子位置保証（ＴＰＡ）部材６２とを有する。第１区域２８は、電気接点２４用の主ハウジング部材を形成する。
【００１５】
さらに図５、５Ａおよび５Ｂを参照して、第１区域２８は、成型されたプラスチックまたはポリマー材料で作られている一体部材を有する。第1区域２８は、接点受入れ領域６４と、カムロッド受入れ領域６６と、レバーアーム受入れ領域６８と、ケーブル導体支持表面７０とを有する。この接点受入れ領域６４は、そこに設置された接点２４を有するように適合される。図５Ｂに最もよく見られるように、各受入れ領域６４については、ハウジング２８は、弾性があるカンチレバー方式のロックフィンガ１３０を有している。接点２４が、受入れ領域６４（ＴＰＡ部材６２が、そのロックされていないか、または開口位置にあると仮定して）に挿入されるときに、フィンガ１３０は、矢印１３２によって示されるように、後方に弾力的に撓み、また、ラッチ区域１３４は、後方端１２８の後ろに跳ね返る。このことは、ラッチ区域１３４とＴＰＡ部材６２との間のケージ１２４を捕促する。ロックフィンガ１３０は、電気接点がハウジング内に挿入され、かつ、電気接点をハウジングにラッチするためにケージの後方縁の後ろにラッチする間に、ケージに沿って摺動するように構成される。ロックフィンガ１３０は、このロックフィンガがケージの後方縁１２８の後ろにラッチする前に、ラッチング穴１２６におけるケージとのロックフィンガとの早すぎるラッチを防止するために、ケージの側方におけるラッチング穴１２６を越えて摺動するように、寸法どりされ、形作られる。
【００１６】
カムロッド受入れ領域６６は、第１区域２８のそれぞれの横方向側に提供される。カムロッド受入れ領域６６は、カムロッド３２が縦方向にそこに側面を付けることを可能にする通路を形成する。カムロッド受入れ領域６６は、レバーアーム受入れ領域６８から内方に位置される。この実施例においては、カムロッド受入れ領域６６は、開放された正面および後面端部を有している。レバーアーム受入れ領域６８は、第１区域２８の各横方側に位置される。
【００１７】
レバーアーム受入れ領域６８は、それぞれ、後部傾斜表面７２および前部傾斜表面７４を備えた一般的なＶ形を有している。レバーアーム受入れ領域６８の頂部側部は、通常開放している。第１区域２８は、さらに、カムロッド受入れ領域６６の内方側に位置された軸支穴７６を有する。第１区域２８は、さらに、第１区域２８の横方側にカバー保持棚７８と、対向する突部８０とを有する。
【００１８】
さらに図６−７を参照して、カバー３０は、好ましくは、一体の成型プラスチックまたはポリマー部材である。代りの実施例において、カバーの特徴は、第１区域２８において、または多数の代りの部材において提供することができる。このカバー３０は、接点受入れ領域６４、および接点２４との接続内への導体ワイヤの外延を収容する第１区域２８の頂部側に接続されるように適合される。マットシール保持器６０は、カバー３０の下で収容され、ケーブルの導体ワイヤとのそれぞれの接触をするように適合される。カバー３０は、２つの横側面を有する。カバーのそれぞれの横側面は、外方に延びる湾曲した突部８２と、内方に延びる突部８２と、後方に延びる突部４０とを有する。
【００１９】
さらに図８−１０を参照して、カバー３０は、好ましくは、図８−９に示されるように第１区域の頂部側に対する第１のカバー３０を下降すること、そして次に、図１０において矢印３８によって示されるようにカバー３０を後方に摺動することによって第１区域２８に接続される。突部４０は、第１区域２８の通路区域内４２内に延びる。カバー３０の横方向側の部分は、第１区域２８における突部８０とカバー保持棚７８との間に位置される。内方に延びる設置突部８４は、カバー保持棚７８の下に延びる。第１区域２８は、さらにスナップロック部分８６を有する。カバー３０の正面は、スナップロック部分８６の後ろをスナップする。第１区域に対するカバー３０の上から下への位置取り、および摺動動作ラッチングは、導体ワイヤピンチングに抵抗する。しかしながら、代りの実施例においては、他のタイプのハウジング構成配位を提供することができる。
【００２０】
カムロッドまたはスライダ３２は、縦方向に、第１区域の２つの対向する側において第１区域２８に摺動可能に設置される。特に、カムロッド３２は、カムロッド受入れ領域６６において、縦方向に摺動可能である。さらに図１０−１１を参照して、各カムロッド３２は、好ましくは、一体の成型プラスチック、またはポリマー部材を有する。各カムロッド３２は、突部受入れスロット４８と、軸支穴８８と、レバー軸支調節スロット９０とを有する。これらの穴８８と、スロット４８、９０とは、さらに下記に記述される。このカムロッド３２は、さらに、ホームのロックされていない位置でカムロッド３２を第１区域２８にラッチするためのラッチ９１を有する。
【００２１】
さらに図１３−１４を参照して、組合されたレバーとラッチとの半組立体３５の斜視図が示されている。この半組立体３５は、レバー３４と、組合されたラッチおよびＣＰＡのロック３６とを有する。組合されたラッチおよびＣＰＡのロック３６は、レバー３４に移動可能に設置される第１ラッチを形成する。
【００２２】
レバー３４は、好ましくは、一体の成型プラスチックまたはポリマー部材である。レバー３４は、ヘッド区域９２と２つのアーム区域９４とを有する。各アーム区域９２の端部５０は、２つの軸支ポスト９６、９８を有する。ヘッド区域９２は、受入れ領域１００を有している。
【００２３】
組合されたラッチおよびＣＰＡのロック３６は、通常、ヘッド区域１０２と、２つのアーム区域１０４と、スプリング区域１０６とを有する。組合されたラッチおよびＣＰＡのロック３６は、好ましくは、ラスチック、またはポリマー部材である。ヘッド区域１０２は、レバー３４のヘッド区域９２の頂部孔１０８から突出している。アーム区域１０４は、アーム区域９４における溝内に摺動可能に受入れられる。アーム区域１０４は、アーム区域１０４が溝内に摺動されるときに、アーム区域１０４が、薄い領域１１０で曲がることを可能にする薄い領域１１０を有する。アーム区域１０４の端部は、ブロッキング部分１１２を有する。スプリング区域１０６は、ヘッド区域１０２の後側面に位置する。スプリング区域１０６は、レバーのヘッド区域９２における受入れ領域１００の後端部と接触する。この実施例において、スプリング区域１０６は、閉ループ形状の板ばねである。しかしながら、代りの実施例においては、あらゆる適切なスプリングも提供することができる。
【００２４】
図１−３に戻り、さらに図１１−１４を参照して、レバー３４は、第１区域２８の対向側における軸支端部５０において、第１部材２８に軸支可能に設置される。端部５０は、第１区域２８の底部にあるＶ形のレバーアーム受入れ領域６８の底部に位置する。このことは、高い機械的利点を産み出す極めて低いレバー軸支を提供する。
【００２５】
主軸支ポスト９６は、カムロッド３２における縦方向スロット９０を通って延び、第１区域２８の軸支穴７６に軸支可能に設置される。ポスト９６は、スロット９０に関して、軸支可能に、かつ、摺動可能に配置される。したがって、レバー３４が、スロット９０内に位置してとどまるポスト９６とともに回転しながら、カムロッド３２は、縦方向に摺動することができる。
【００２６】
スライド軸支ポスト９８は、軸支穴８８におけるカムロッド３２に軸支可能に接続される。レバー３４が第１区域２８において回転するときに、縦方向にロックされていない位置（図１−３において示される）とロックされる位置（図２１において示される）との間の第１区域に沿うカムロッド３２を縦方向に移動するために、レバー３４は、カムロッド３２に取付けられている。
【００２７】
図１５に示されるように、レバー３４は、組合されたラッチおよびＣＰＡのロック３６によって、図１−３に示されるロックされていない位置に保持することができる。組合されたラッチおよびＣＰＡのロック３６は、レバーラッチ部分５２およびＣＰＡのロック部分５４を有する。レバーラッチ部分５２は、図１−３および１５に示されるロックされていない位置に、湾曲した突部８２の前方端部１３６の後ろに位置するように適合されるブロッキング部分１１２を有する。
【００２８】
さらに図１６−２０を参照して、湾曲した突部８２の前におけるその位置からレバーラッチ部分５２を移動するために、使用者は、２本の指の間に２つのヘッド区域９２および１０２をはさむことができる。スプリング区域１０６は、矢印１１４によって示されるような領域１００内に摺動するヘッド区域１０２と、矢印１１６によって示されるような端部５０に対して摺動するアーム区域１０４とによって、弾性的に撓むか、または収縮（collapse）することができる。このことは、ブロッキング部分１１２を湾曲した突部８２の真下に移動する。アーム区域１０４は、薄い領域１１０で曲げることができる。解放され、またはラッチされないレバーラッチ部分５２によって、使用者は、今度は、図１７に見られるように、後方にレバー３４を回転させることができる。ブロッキング部分１１２は、湾曲した突部８２の下で移動することができる。
【００２９】
図１５−１７に見られるように、コネクタ１０は、結合する電気コネクタ１２と結合するように適合される。この結合する電気コネクタ１２は、従来の電気コネクタである。この結合する電気コネクタ１２は、ハウジング１６と電気接点とを有する。このハウジング１６は、その外部側におけるカム突起２０を有する。
【００３０】
カムロッド３２における突部受入れスロット４８は、第１区域２８（図３参照）におけるスロット４７と協働して、その結合する電気コネクタ１２のカム突起２０を受入れる。より具体的には、レバー３４が、ロックされていない位置（図１−３）にあるときに、カム突起２０は、スロット４７、４８の底部内に挿入することができる。この実施例においては、コネクタ１０は、結合する電気コネクタの当初接続保持器装置を有する。しかしながら、代りの実施例においては、結合する電気コネクタの当初の接続保持器装置は提供されないことがある。この保持器装置は、カムピン２０を受入れるための挿入スロット４７を有する主ハウジング部材２８を有し、カムスロット４８および挿入スロット４７は限定されたカムピン通路を形成するように当初は部分的にオフセットされる。この結合支援装置の作動の前に、電気コネクタ１０がその結合する電気コネクタ１２に当初設置されるときに、保持器装置は、結合支援装置が使用者によって作動されるまで、摩擦によって挿入スロット４７とカムスロット４８との部分間の結合する電気コネクタ１２のカムピン２０を捕捉するように適合される。
【００３１】
コネクタ１０は、図１および２に示される、そのロックされていない位置からの、レバー３４の意図しない移動を防止するための装置を提供する。このレバーの意図しない移動を防止するための装置は、コネクタ１０がその結合する電気コネクタに当初設置されるときに、使用者によって手動で作動するように適合された第１のラッチと、その結合する電気コネクタ１２によって自動的に移動されるように適合されたカムロッド３２における第２のラッチと、を有する。この第２のラッチは、カムロッド３２におけるラッチ９１を使用する。その結合するコネクタ１２が、第１区域２８内に当初は挿入されながら、ハウジング１６は、第１の区域２８とのラッチング係合から、カムロッド３２のラッチ９１を移動する。第１のラッチは、部材３６と、突部８２とのその係合とを有する。この第１および第２の両ラッチは、前方へのロックされていない位置からのレバー３４の移動を可能にするように移動される。したがって、余分の動態／不動態の予めのロックレバー解放装置が提供される。動態の解放装置は、レバーラッチ３６にあり、ブロッキング区域１１２を有している。不動態の解放装置はカムロッド３２にあり、ラッチ９１を有する。
【００３２】
カムロッド３２は、カムロッド３２がそれらの前方位置からそれらの後方位置（図１６−１８参照）にレバー３４によって摺動されながら、２つのコネクタ１０、１２を一緒に引くために、カム突起２０をスロット４７、４８内にカム駆動することができる。したがって、このことは、コネクタ１０、１２を一緒に結合することを支援する。
【００３３】
レバー３４が第１の区域２８におけるその後方の位置に到達するときに、ブロッキング区域１１２は、図１８に見られるような湾曲した突部８２の後端部１３８を過ぎて位置される。使用者は、ヘッド区域１０２を解放することができ、さらに、スプリング区域１０６は、次いでレバー３４におけるそのホーム位置に戻ってその組合されたラッチおよびＣＰＡのロック３６を撓めることができる。このブロッキング区域１１２は、レバー３４がコネクタ１０の正面に対して意図しないで後方に回転されるのを防止するために湾曲した突部８２の後ろに突出する。
【００３４】
カバー３０は、その後方端２６においてＣＰＡラッチ５８を有する。組合されたラッチおよびＣＰＡロック３６のヘッド区域１０２は、そのラッチ５８を係合して、組合されたラッチおよびＣＰＡロックがレバー３４に関して意図せずに移動することを防止することができる。好ましくは、ＣＰＡラッチ５８との組合されたラッチおよびＣＰＡロック３６の係合は、使用者による手動ロッキング動作である。他方、使用者が挟む動作を解放するか、または、突部８２の端部１３８を過ぎてブロッキング区域１１２を移動しながら、ブロッキング区域１１２によるラッチングは、好ましくは、自動的なラッチングである。図２１は、その最終ロック位置において、コネクタ１０を示している。ブロッキング部分１１２は、ＣＰＡラッチとの係合内にＣＰＡロック部分５４の移動が、湾曲した突部８２の通路からブロッキングセクション１１２を移動させないように、十分に長い。
【００３５】
ロックされていない位置（図１−３）からロックされた位置（図２１）に対するレバー解放および回転は、使用者の片手によってすることができる。ブロッキング区域１１２が湾曲した突部８２の下に位置し、かつ、突部８２の底部表面に沿って乗るか、または摺動することができるので、レバーラッチは、最初の移動の後にロックされていない位置から解放されることができる。一旦、組合されたラッチおよびＣＰＡロック３６は、図１９−２０に示される位置にあると、使用者は、レバー回転の終わりに、ＣＰＡをラッチ５８内に移動して、レバーからその指を引きずることによりＣＰＡをロックすることができる。
【００３６】
図３−４に示されているように、コネクタ１０は、ＴＰＡ部材６２を有する。
【００３７】
しかしながら、代りの実施例においては、ＴＰＡ部材６２は、提供されないかもしれない。さらに図２２−２３を参照して、ＴＰＡ部材は、図５Bおよび２２に示されるロックされていないホーム位置から図２３に示されるロックされた位置に、使用者によって、正面から後部（矢印１１８によって示されるように）にＴＰＡ部材を摺動することによって、摺動することができる。したがって、従来のＴＰＡ部材と異なり、ＴＰＡ部材６２の移動が、内部の位置と外部の位置との間にはない。代りに、ＴＰＡ部材６２の移動は、正面から後部までであり；その結合するコネクタ１２に対するコネクタ１０の接続の方向と直交している。さらに、このことは、ハウジング部材２８内への接点２４の挿入の方向に直角である。ＴＰＡは、それらの意図した最終位置において第１区域２８における接点２４の位置を保証することができる。図５Ｂおよび２５において見られるように、ＴＰＡ部材は、カンチレバー式のブロッキング突部１４０を有する。突部１４０は、より厚いレール部１４２と、このより厚いレール部１４２間のスロット１４４とを有する。接点２４が接点受入れ領域６４内に当初挿入されるときに、ＴＰＡ部材６２はそのロックされていない位置にある。
【００３８】
スロット１４４は、ロックフィンガ１３０が、接点が挿入されながら、後方に撓むことを可能にするように、ロックフィンガと整列される。  
接点が受入れ領域に挿入された後に、ＴＰＡ部材６２は、より厚いレール区域１４２をそれぞれのロックフィンガ１３０の後ろに移動するために、そのロックされた位置に摺動される。そのロックされた位置に移動したときに、ＴＰＡ部材６２は、このように、後ろに撓むことからロックフィンガ１３０をブロックして、接点２４が受入れ領域６４から引かれるか、または押されることを防止する。さらにＴＰＡ部材は、接点２４の１つまたはそれ以上が、単に部分的に搭載されている場合には、使用者に対して信号を送る。もし、接点が部分的に搭載されているならば、その対応するロックフィンガは、なお後方に偏位される。したがって、使用者がそのロック位置にＴＰＡ部材６２を移動しようとするときは、それがまだスロット１４４のうちの１つ内にあり、対応するより厚いレール区域１４２が偏位されたロックフィンガの後ろに移動することを可能にしないので、湾曲したロックフィンガはＴＰＡ部材６２を移動からブロックする。その後、使用者は、少なくとも１つの接点がその受入れ領域に適切に据え付けられないことを知る。代りの実施例においては、あらゆる適切なＴＰＡ装置も提供することができるかもしれない。あるいは、ＴＰＡ装置は、提供することができないかもしれない。
【００３９】
さらに図２６を参照して、示された実施例においては、ＴＰＡ部材６２は、雄のピン挿入口１４６と、端子のサービス／削除用の穴１４８と、ポゴ（ｐｏｇｏ）ピン試験アクセス穴１５０とを有している。各接点受入れ領域については、ＴＰＡ部材は、雄ピン挿入口１４６と、試験プローブ挿入口１５０と、端子のサービス穴１４８とを有する。各接点受入れ領域６４については、それぞれの雄ピン挿入口１４６および試験プローブ挿入口１５０は、ＴＰＡ部材における第１の方向１５２に整列される。このことは、この実施例において横方向である。それぞれの端子サービス穴１４８は、少なくとも部分的に、第１の方向に対して角のある第２の方向１１８に、雄ピン挿入口１４６および試験プローブ挿入口１５０からオフセットされる。雄ピン挿入口１４６は、コネクタ１０およびその意図した接点２４内へのその結合する電気コネクタ１２からの雄接点の挿入が可能である。試験プローブ挿入口１５０は、接点受入れ領域６４、および電気接点２４との接点内に試験プローブの挿入可能により、接点２４およびそのワイヤへのその接続の電気的な試験を可能にする。端子サービス穴１４８は、接点受入れ領域６４内にツールの挿入が、接点２４からロックフィンガ１３０を離脱し、サービスまたは置換のための接点受入れ領域６４からの接点２４の除去を可能にする。
【００４０】
この実施例においては、端子のサービス穴１４８のオフセットは、ＴＰＡ部材が、接点を削除するその開かれた、またはロックされていない位置にある必要のために必要であると発見された。ＴＰＡ部材がそのロックされた位置にあるときには、穴１４８はその対応するロックフィンガ１３０とは整列されない。
【００４１】
したがって、ＴＰＡ部材６２がその開口位置にあるときは、穴１４８のオフセットは、その対応するロックフィンガ１３０で穴１４８の整列を供給する。しかしながら、代りの実施例では、あらゆる適切な穴または穴の形状をも提供することができる。
【００４２】
さらに図２７−３３を参照して、この発明の代りの実施例が示されている。この実施例においては、電気コネクタ１６０は、通常、ハウジング１６２と、電気接点２４と、結合支援装置１６４とを有する。ハウジング１６２は、主区域２８と、ワイヤドレスカバー１７２とを有する。このワイヤドレスカバー１７２は、その対向する外部の横方向側で２つの湾曲した突部８２を有する。このカバー１７２は、さらにその頂部側において偏位可能なラッチ１７４を有する。
【００４３】
結合支援装置１６４は、レバー組立体１６６と、カムロッド、または、スライダ３２とを有する。このレバー組立体１６６は、第１部材１６８および第２部材１７０を有する。この第１部材１６８は、ハウジング１６２に軸支可能に接続される軸支レバー部材である。第２部材１７０は、第１部材１６８に入れ子式に接続された入れ子式（telescoping）部材である。レバー組立体１６６およびワイヤドレスカバー１７２は、スライダ３２の移動を制限するための第１のラッチを形成するように協力する。
【００４４】
一般的な上下逆さまのＵ字形を形成するために、第１部材１６８は、頂部の橋絡区域１７８によって相互に接続された２つのアーム１７６を有する。図２８において見られるように、各アームの端部は２つの軸支ポスト９６、９８を有する。軸支ポスト９６、９８は、第１の実施例に関して上述されたのと同じ方法で、カムロッド３２およびハウジング部材２８に取付けられている。第２部材１７０は、２つのアーム１８０および頂部の橋絡区域１８２を有する。アーム１８０は、橋絡区域１７８におけるスロットを通って延びて、アーム１７６の内部に沿うポケットに摺動可能に位置されている。
【００４５】
図２７および２８は、ハウジングにおけるその前方の前ロック位置におけるレバー組立体１６６を示している。この位置では、アーム１８０の部分は、突部８２の前方端部１３６に位置する。したがって、レバー組立体１６６は、この位置からのハウジングにおける回転から阻止される。このことは、カムロッド３２がハウジング部材２８内において縦方向に摺動するのを防止する。
【００４６】
図２９および３０において見られるように、使用者は、一般的な入れ子式の方法で第１部材１６８に関して第２部材１７０を拡張することができる。このことは、アーム１８０を、突部８２の前方端部１３６の前から移動し、さらに使用者がハウジングにおけるレバー組立体１６６を回転させることを可能にする。カムロッド、またはスライダ３２は、このように、移動する。
【００４７】
図３１−３３において見られるように、レバー組立体１６６がハウジングにおけるその後方への最終ロック位置に到達するときに、カムロッドは、それらの最終接続位置に移動されている。第１部材１６８は、偏位可能なラッチ１７４とラッチするラッチ突部１８４を有する。このことは、その後方への位置で第１部材１６８をロックする。使用者は、第２部材１７０を第１部材１６８内後ろに収縮することができる。アーム１８０の部分は、突部８２の後部端１３８の後ろに移動される。したがって、レバー組立体１６６は、レバー組立体と結合支援装置との不注意で意図されない移動を防止するための多数の位置（突部８２およびラッチ１７４を有して）におけるカバー１７２を係合する。
【００４８】
この第２実施例の特徴のうちの１つは、提供される増加した機械的な利点または、影響力である。特に、レバー組立体１６６の長さがスライダ３２の移動の間に延長されるので、レバー組立体が延長されなかった場合よりレバー組立体によって提供されるより大きな機械的利点がある。レバー組立体の収縮は、さらに最終組立が比較的に同一のスペース拘束におけるパッケージを有する利点を備える。さらに、第２のレバーは、ＣＰＡとして役割をするために修正することができる。しかしながら、この実施例においては、その機能は必要ではない。代りの実施例においては、他のタイプの入れ子式で収縮するレバー組立体を提供することができる。さらに、他のタイプのカムロッドおよびハウジングデザインととともにそれを使用することができるかもしれない。
【００４９】
先行する記述は、この発明の単に例証であることは理解されるに違いない。
【００５０】
様々な代案および改造が、この発明から逸脱することのない技術における熟練している人々によって考案することができる。したがって、この発明は、付属の請求項の範囲以内にある代案、改造および相違をすべて包含するように意図されている。
【図面の簡単な説明】
【００５１】
【図１】この発明の特徴を有する電気コネクタの斜視図である；
【図２】図１に示される電気コネクタの、他の方向からの斜視図である；
【図３】図１に示される電気コネクタの、このコネクタの底部側を示す他の方向からの斜視図である；
【図４】図１に示されるコネクタの分解斜視図である；
【図５】図１に示されるコネクタの主ハウジング部材の平面、正面および側面の斜視図である；
【図５Ａ】図５に示される主ハウジング部材の底面、正面および側面の斜視図である；
【図５Ｂ】図１に示されるコネクタの部分的な断面図である；
【図６】図１に示される電気コネクタのハウジングのワイヤドレスカバーの平面、正面および側面の斜視図である；
【図７】図６に示されるワイヤドレスカバーの底面、背面および側面の斜視図である；
【図８】図７−８のワイヤドレスカバーを図５−５Ａに示される主ハウジング部材に接続する第１ステップを示す斜視図である；
【図９】図７−８のワイヤドレスカバーを図５−５Ａに示される主ハウジング部材に接続する第２ステップを示す斜視図である；
【図１０】図７−８のワイヤドレスカバーを図５−５Ａに示される主ハウジング部材に接続する第３ステップを示す斜視図である；
【図１１】図１に示される電気コネクタのカムロッドスライダのうちの１つの斜視図である；
【図１２】図１１に示されるカムロッドスライダの対向する側からの斜視図である；
【図１３】図１に示される電気コネクタのレバー組立体の斜視図である；
【図１４】図１３に示されるレバー組立体の対向する側からの斜視図である；
【図１５】図１に示される電気コネクタの、結合する電気コネクタに対する当初の接続を示す斜視図である；
【図１６】ラッチされない位置に移動された、レバー組立体のラッチ部材を示す図１５におけるような斜視図である；
【図１７】その前方位置からその後方位置に向って部分的に移動されたレバー組立体を示す、図１６に示されるようなコネクタの側面図である；
【図１８】その後方位置から部分的に移動されるが、ラッチ部材の解放前であるレバー組立体を示す、図１７に示されるようなコネクタの側面図である；
【図１９】その後方位置から部分的に移動されたレバー組立体と、ラッチ部材の部分的解放とを示す、図１８に示されるようなコネクタの側面図である；
【図２０】その後方位置から部分的に移動されたレバー組立体と、そのラッチ部材の解放とであるが、ハウジングにおけるラッチに対してラッチ部材をラッチする前である、図１９に示されるようなコネクタの平面および側面の斜視図である；
【図２１】ハウジングによってそのラッチング位置に移動されたレバー組立体のラッチ部材を備えた、図２０に示されるようなこの発明の電気コネクタの斜視図である；
【図２２】主ハウジング部材におけるロックされていない位置にＴＰＡ部材を示す図１に示される電気コネクタの底面、背面および側面の斜視図である；
【図２３】主ハウジング部材におけるロック位置に移動されたＴＰＡ部材を示す、図２２におけるような斜視図である；
【図２４】図１に示される電気コネクタ内で使用される電気接点の斜視図である；
【図２５】図１に示される電気コネクタのＴＰＡ部材の平面、背面および側面の斜視図である；
【図２６】図２５に示されるＴＰＡ部材の底部側の部分的な拡大斜視図である；
【図２７】電気コネクタの代りの実施例の斜視図である；
【図２８】仮想線で示される部品のうちのいくつかを備えた図２７に示される電気コネクタの斜視図である；
【図２９】拡張位置に移動したレバー組立体の第２部材を示す図２８におけるような斜視図である；
【図３０】その前方位置からその後方位置に向って部分的に移動されたレバー組立体を示す、図２９におけるような斜視図である；
【図３１】レバー組立体の収縮前であるが、その後方位置に対して移動されたレバー組立体を示す、図３０におけるような斜視図である；
【図３２】仮想線で示される部品なしの、図３１におけるような斜視図である；
【図３３】その収縮された位置において、レバー組立体を有するその後方位置におけるレバー組立体を示す、図３２におけるような斜視図である。
【図１】
2009512141.tif 000003
【図２】
2009512141.tif 000004
【図３】
2009512141.tif 000005
【図４】
2009512141.tif 000006
【図５】
2009512141.tif 000007
【図５Ａ】
2009512141.tif 000008
【図５Ｂ】
2009512141.tif 000009
【図６】
2009512141.tif 000010
【図７】
2009512141.tif 000011
【図８】
2009512141.tif 000012
【図９】
2009512141.tif 000013
【図１０】
2009512141.tif 000014
【図１１】
2009512141.tif 000015
【図１２】
2009512141.tif 000016
【図１３】
2009512141.tif 000017
【図１４】
2009512141.tif 000018
【図１５】
2009512141.tif 000019
【図１６】
2009512141.tif 000020
【図１７】
2009512141.tif 000021
【図１８】
2009512141.tif 000022
【図１９】
2009512141.tif 000023
【図２０】
2009512141.tif 000024
【図２１】
2009512141.tif 000025
【図２２】
2009512141.tif 000026
【図２３】
2009512141.tif 000027
【図２４】
2009512141.tif 000028
【図２５】
2009512141.tif 000029
【図２６】
2009512141.tif 000030
【図２７】
2009512141.tif 000031
【図２８】
2009512141.tif 000032
【図２９】
2009512141.tif 000033
【図３０】
2009512141.tif 000034
【図３１】
2009512141.tif 000035
【図３２】
2009512141.tif 000036
【図３３】
2009512141.tif 000037
【国際調査報告】
2009512141.tif 000038